(57)【要約】      （修正有）【課題】狭い室内でも、使用時は壁面に収納して部屋を広く使うことができ、化粧や見繕い時には壁面から展開させて、通常の据え置きタイプと同様にゆったりと使用できる。【解決手段】壁面１の一部に奥行きが柱の太さ程度の凹所２を形成してその凹所２の上下の中程に前方へ拡張可能な作業台３を格納可能に配設し、その上方に棚４を配置すると共にその近傍に鏡５を配設し、作業台３の下方に折畳み自在な椅子６を格納する。【選択図】図１
0003129414.tif 000002
【実用新案登録請求の範囲】
【請求項１】
壁面１の一部に奥行きが柱の太さ程度の凹所２を形成してその凹所２の上下の中程に前方へ拡張可能な作業台３を格納可能に配設し、その作業台３の上方を扉７で覆うと共にその近傍に鏡５を配設し、作業台３の下方に折畳み自在な椅子６を格納するようにして成ることを特徴とする壁面収納ドレッサー。
【請求項２】
鏡５が扉７の表面又は裏面の少なくともいずれかに設けられたことを特徴とする請求項１に記載の壁面収納ドレッサー。
【請求項３】
鏡５が扉７の表裏面の少なくとも一方に施されたことを特徴とする請求項１または２に記載の壁面収納ドレッサー。
【請求項４】
鏡５が凹所２の奥壁面に施されたことを特徴とする請求項１乃至３に記載の壁面収納ドレッサー。
【請求項５】
折畳み可能な椅子６の背面が凹所２の下方の蓋板８を構成することを特徴とする請求項１乃至４に記載の壁面収納ドレッサー。
【考案の詳細な説明】
【技術分野】
【０００１】
本考案は、壁面にすっぽりと嵌め込んで、従来の据え置きタイプの鏡台のように場所を占有せず、狭い部屋でも場所を取ることなく、化粧用の空間を必要なときに簡単に設定できる壁面収納ドレッサーに関する。
【背景技術】
【０００２】
従来女性は部屋に置いた鏡台やドレッサーで化粧などの身支度をしていたものであるが、現在の都会の狭い家屋事情ではそのような据え置きタイプの鏡台やドレッサーは敬遠されがちである。
【０００３】
しかしながら、女性が外出するときは化粧や服装の見繕いは欠かせないので、手鏡や洗面化粧台の鏡をその代用すすることが多いが、女性には狭くても落ち着いて鏡を見ることができる空間が欲しいとの要望が多い。
【０００４】
ところが現在の住宅事情では、独立した鏡台を部屋の片隅に置くのは場所が取り、また現在のインテリアデザインにも馴染みにくい。そこでたとえば壁面収納を設ける場合にその区画の一部に鏡を設けたものがある。その場合、例えば服装のコーディネートなどを見る姿見として使用することができるが、その前に腰を下ろして化粧するには適していないと言わざるを得ない。また洗面化粧台の鏡を使う場合も同様の不満があった。更には折畳めるタイプのドレッサーも見受けられるが、折畳んでも部屋の片隅を占領することは否めず、また折畳み状態で部屋の片隅に置かれる姿は部屋の美観を損なうものであった。
【特許文献１】特開平２０００−４９５５号公報
【特許文献２】特開平８-２５４００９号公報
【特許文献３】特開平２００４−３５１０８９号公報
【考案の開示】
【考案が解決しようとする課題】
【０００５】
本考案は、手狭な住宅であっても、使いたい時は椅子に座って鏡を見ながらゆったりとした気分で化粧をすることができ、使用しないときは壁面に収まって部屋を狭くすることがない壁面収納ドレッサーを提供するものである。
【課題を解決するための手段】
【０００６】
本考案は、壁面１の一部に奥行きが柱の太さ程度の凹所２を形成してその凹所２の上下の中程に前方へ拡張可能な作業台３を格納可能に配設し、その作業台３の上方を扉７で覆うと共にその近傍に鏡５を配設し、作業台３の下方に折畳み自在な椅子６を格納するようにしたものである。
【考案の効果】
【０００７】
本考案にあっては上述のように構成したから、鏡台として使用しない時は、壁面１の凹所２内に鏡５、棚４、椅子６を部屋の床面に出っ張らないように収納できるので、狭い部屋であっても据え置きの鏡台のように場所を取ることがなく、部屋を広く使用できる。
【０００８】
そして化粧時や見繕い時には凹所２より椅子６を引き出し、鏡５を見ながら腰をかけ、作業台３広げて凹所より取り出して使用する化粧品や小物を並べ、ゆったりと鏡５を見て鏡台として使用できる。
【０００９】
また、鏡台の非使用時は扉７、作業台３、椅子６の背を兼ねた蓋板８がフラットになるので、壁面２とデザイン的にも統一させたり、アクセントにしたり、容易に調和させることができる。
【００１０】
更に折畳み可能な椅子６の背面を凹所２の下方の蓋板８で構成しておけば、収納時、椅子６の脚部が表面に露呈せず、収納時の概観もすっきりとまとめることができる。
【考案を実施するための最良の形態】
【００１１】
図１は本考案の概略を示すもので、壁面１の適所に凹所を設ける。凹所２は柱の太さ程度の奥行きで、一対の縦枠２１、２１の上端を上枠２０で連結したもので、背後には背板２２が配置される。この凹所２の上下の中程には作業台３が前方へ倒せるように設けられる。作業台３は奥板２４に枢支され、作業時には水平に固定される。２３は作業台３を水平に保持するステーである。この場合は奥板２４に小物等を収納したまま作業台３を撥ね上げて収納でき、作業台３が覆板を兼ねることもできる。
【００１２】
図５作業台３は背板２２に重なるように撥ね上げて収納する例で、作業台３はその奥端が凹所２を構成する側板２１の奥部に設けられた回転軸２５により回転自在に枢支され、使用時は同図（ａ）のようにストッパ２６で平面状に保持され、非使用時は同図（ｂ）のように奥壁２２に密接するように撥ね上げられて収納され、扉７又は椅子６の覆板８で外方がカバーされる。図１の場合も図５の場合も収納時の作業台３はマグネットやキャッチャー等な周知の図外ロック手段を施すことができる。
【００１３】
作業台３の上方には必要な場合、棚４が１又は２段以上設置され、その前面は扉７で覆われる。扉７の表面、裏面、或いは棚４の奥面のいずれか一つ又は２以上に鏡５配置される。また、扉５は図４のように両開きであっても良い。
【００１４】
作業台３の下方には椅子６が配置される。この椅子6は折畳むことにより凹所２の作業台３の下方に収納するようになっている。図３はその一例を示すもので、背板を兼ねた覆板８の中程に凹所２の奥行き程度の水平板９を突設し、この水平板９の前縁に座板１０の奥縁を回動自在に枢支連結する。また図３では右脚１２の奥部を覆板８の右下縁に回動自在に枢支すると共に、左側は右脚１２の幅程度だけ覆板８の左下部より前方に支持柱１１が突設され、この支持柱１１に左脚１３が枢支されていて、左右脚１２、１３を覆板８の下方背部に折畳んだ状態で、座板１０が重なって折畳まれるようになっている。
【００１５】
尚、この折畳みの構造は単なる一例を示すもので、これに限定されるものではなく、他の折畳みの構造は勿論、分解して凹所２の下部に収納できるものでも構わない。また、脚部にはキャスターを設けることができ、椅子６の収納時は必要に応じてマグネットやキャッチャー等の任意のロック手段で凹所２の縦枠２１の前縁等の適所に保持できるようにすることができる。
【００１６】
鏡５については、上記のように扉７の表裏、或いは棚４の奥壁のいずれか少なくとも１箇所に設けるもので、常時鏡５を露出させたい場合は扉５の表面に設置し、使用しない時は壁面に同化させてしまいたい場合は扉５の内面のみに設ければよい。また、両開きにしておくと、角度を変えて使用できるので使い勝手が良い。
【産業上の利用可能性】
【００１７】
本考案は、非使用時は壁面に収納して室内を広く使うことができ、掃除をする場合も邪魔にならない。鏡台を使用するときは、凹所より取り出して、椅子に腰を下ろし、棚の化粧品や小道具を使い、鏡を見て化粧や見繕いをゆったりと行えるもので、マンションやアパートなど、比較的狭くて設置型の鏡台やドレッサーを置き辛い場合に大いに効果を発揮するものである。
【００１８】
また施工も壁面１の一部を刳り貫いて簡単に設置できるので、新築時の設置は勿論、増改築にも簡単に適応することができる。
【図面の簡単な説明】
【００１９】
【図１】本考案の一実施例の壁面の一部を切り欠いた斜視図。
【図２】同上の収納状態の斜視図。
【図３】同上の椅子の折畳み状態の一例の斜視図。
【図４】同上の扉部分の他の例を示す斜視図。
【図５】同上の作業台の他の例の一部省略断面図で、（ａ）は作業台を使用する状態の断面図、（ｂ）は作業台の収納状態の断面図。
【符号の説明】
【００２０】
１は壁面
２は凹所
３は作業台
５は鏡
６は椅子
７は扉
８は覆板
【図１】
0003129414.tif 000003
【図２】
0003129414.tif 000004
【図３】
0003129414.tif 000005
【図４】
0003129414.tif 000006
【図５】
0003129414.tif 000007